【手続補正書】
【提出日】令和3年11月1日(2021.11.1)
【手続補正１】
【補正対象書類名】特許請求の範囲
【補正対象項目名】全文
【補正方法】変更
【補正の内容】
【特許請求の範囲】
【請求項１】
符号化データから画像を復号する画像復号装置であって、
量子化された変換係数から変換係数を導出する逆量子化処理において用いられる量子化マトリクスの少なくとも一部の要素に対応する複数の値を示すデータを復号する復号手段と、
前記データから前記複数の値を導出し、少なくとも当該複数の値に基づいて、前記量子化マトリクスを生成する生成手段と、
前記量子化マトリクスを用いて、対象ブロックの前記逆量子化処理を行う逆量子化手段と
を有し、
前記対象ブロックの幅及び高さの内の少なくともいずれかが所定のサイズ以上の場合、前記生成手段は、
前記複数の値の内の第１の値を、前記量子化マトリクスにおけるDC成分に対応する第１の要素に対応付けるとともに前記量子化マトリクスにおける他の要素には対応付けず、
前記複数の値の内の第２の値を、前記量子化マトリクスにおいて当該第１の要素に隣接する第２の要素に対応付けるとともに前記量子化マトリクスにおける他の要素には対応付けず、
前記量子化マトリクスにおける前記第１及び第２の要素以外の要素の少なくとも一部については、前記量子化マトリクスにおける複数の要素に、前記複数の値の内の１つの値を対応付けることで、
前記量子化マトリクスを生成する
ことを特徴とする画像復号装置。
【請求項２】
前記所定のサイズは１６画素であり、
前記対象ブロックの幅が１６画素で高さが１６画素未満の場合、
前記第２の要素は、前記第１の要素の右において前記第１の要素に隣接する要素であり、かつ、
前記１つの値が対応付けられる前記複数の要素は、前記量子化マトリクスの水平方向において互いに隣接する複数の要素である  
ことを特徴とする請求項１に記載の画像復号装置。
【請求項３】
前記複数の値を示すデータは、前記複数の値間の差分を示すデータを含む
ことを特徴とする請求項１に記載の画像復号装置。
【請求項４】
イントラ予測が用いられるかインター予測が用いられるかによって、前記逆量子化処理において使用する量子化マトリクスを選択する選択手段
を更に有することを特徴とする請求項１に記載の画像復号装置。
【請求項５】
復号対象のブロックが輝度ブロックか色差ブロックかによって、前記逆量子化処理において使用する量子化マトリクスを選択する選択手段
を更に有することを特徴とする請求項１に記載の画像復号装置。
【請求項６】
前記複数の値の数は、前記量子化マトリクスの要素の数よりも少ない
ことを特徴とする請求項１に記載の画像復号装置。
【請求項７】
画像を符号化する画像符号化装置であって、
量子化マトリクスを用いて対象ブロックの量子化処理を行う量子化手段と、
前記量子化マトリクスの少なくとも一部の要素に対応する複数の値を示すデータを符号化する符号化手段と、
を有し、
前記対象ブロックの幅及び高さの内の少なくともいずれかが所定のサイズ以上の場合、前記符号化手段は、
前記量子化マトリクスにおけるDC成分に対応する第１の要素に対応付けられるとともに前記量子化マトリクスにおける他の要素には対応付けられない第１の値を示すデータを符号化し、
前記量子化マトリクスにおいて前記第１の要素に隣接する第２の要素に対応付けられるとともに前記量子化マトリクスにおける他の要素には対応付けられない第２の値を示すデータを符号化し
を符号化し、
さらに、前記量子化マトリクスにおける前記第１及び第２の要素以外の要素の少なくとも一部については、複数の要素に対して、１つの値を示すデータを符号化することで、
前記複数の値を示すデータを符号化する
ことを特徴とする画像符号化装置。
【請求項８】
前記所定のサイズは１６画素であり、
前記対象ブロックの幅が１６画素で高さが１６画素未満の場合、前記第２の要素は、前記第１の要素の右において前記第１の要素に隣接する要素であり、
前記符号化手段は、前記対象ブロックの幅が１６画素で高さが１６画素未満の場合、前記量子化マトリクスにおける前記第１及び第２の要素以外の要素の少なくとも一部については、前記量子化マトリクスの水平方向において互いに隣接する前記複数の要素に対して、前記１つの値を示すデータを符号化する
ことを特徴とする請求項７に記載の画像符号化装置。
【請求項９】
前記複数の値を示すデータは、前記複数の値間の差分を示すデータを含む
ことを特徴とする請求項７に記載の画像符号化装置。
【請求項１０】
イントラ予測が用いられるかインター予測が用いられるかによって、前記量子化処理において使用する量子化マトリクスを選択する選択手段
を更に有することを特徴とする請求項７に記載の画像符号化装置。
【請求項１１】
対象のブロックが輝度ブロックか色差ブロックかによって、前記量子化処理において使用する量子化マトリクスを選択する選択手段
を更に有することを特徴とする請求項７に記載の画像符号化装置。
【請求項１２】
前記複数の値の数は、前記量子化マトリクスの要素の数よりも少ない
ことを特徴とする請求項７に記載の画像符号化装置。
【請求項１３】
符号化データから画像を復号する画像復号方法であって、
量子化された変換係数から変換係数を導出する逆量子化処理において用いられる量子化マトリクスの少なくとも一部の要素に対応する複数の値を示すデータを復号する復号ステップと、
前記データから前記複数の値を導出し、少なくとも当該複数の値に基づいて、前記量子化マトリクスを生成する生成ステップと、
前記量子化マトリクスを用いて、対象ブロックの前記逆量子化処理を行う逆量子化ステップと
を有し、
前記対象ブロックの幅及び高さの内の少なくともいずれかが所定のサイズ以上の場合、前記生成ステップにおいて、
前記複数の値の内の第１の値を、前記量子化マトリクスにおけるDC成分に対応する第１の要素に対応付けるとともに前記量子化マトリクスにおける他の要素には対応付けず、
前記複数の値の内の第２の値を、前記量子化マトリクスにおいて当該第１の要素に隣接する第２の要素に対応付けるとともに前記量子化マトリクスにおける他の要素には対応付けず、
前記量子化マトリクスにおける前記第１及び第２の要素以外の要素の少なくとも一部については、前記量子化マトリクスにおける複数の要素に、前記複数の値の内の１つの値を対応付けることで、
前記量子化マトリクスを生成する
ことを特徴とする画像復号方法。
【請求項１４】
前記所定のサイズは１６画素であり、
前記対象ブロックの幅が１６画素で高さが１６画素未満の場合、
前記第２の要素は、前記第１の要素の右において前記第１の要素に隣接する要素であり、かつ、
前記１つの値が対応付けられる前記複数の要素は、前記量子化マトリクスの水平方向において互いに隣接する複数の要素である  
ことを特徴とする請求項１３に記載の画像復号方法。
【請求項１５】
前記複数の値を示すデータは、前記複数の値間の差分を示すデータを含む
ことを特徴とする請求項１３に記載の画像復号方法。
【請求項１６】
イントラ予測が用いられるかインター予測が用いられるかによって、前記逆量子化処理において使用する量子化マトリクスを選択する選択ステップ
を更に有することを特徴とする請求項１３に記載の画像復号方法。
【請求項１７】
復号対象のブロックが輝度ブロックか色差ブロックかによって、前記逆量子化処理において使用する量子化マトリクスを選択する選択ステップ
を更に有することを特徴とする請求項１３に記載の画像復号方法。
【請求項１８】
前記複数の値の数は、前記量子化マトリクスの要素の数よりも少ない
ことを特徴とする請求項１３に記載の画像復号方法。
【請求項１９】
画像を符号化する画像符号化方法であって、
量子化マトリクスを用いて対象ブロックの量子化処理を行う量子化ステップと、
前記量子化マトリクスの少なくとも一部の要素に対応する複数の値を示すデータを符号化する符号化ステップと、
を有し、
前記対象ブロックの幅及び高さの内の少なくともいずれかが所定のサイズ以上の場合、前記符号化ステップにおいて、
前記量子化マトリクスにおけるDC成分に対応する第１の要素に対応付けられるとともに前記量子化マトリクスにおける他の要素には対応付けられない第１の値を示すデータと、
前記量子化マトリクスにおいて前記第１の要素に隣接する第２の要素に対応付けられるとともに前記量子化マトリクスにおける他の要素には対応付けられない第２の値を示すデータと、
を符号化し、
さらに、前記量子化マトリクスにおける前記第１及び第２の要素以外の要素の少なくとも一部については、複数の要素に対して、１つの値を示すデータを符号化することで、
前記複数の値を示すデータを符号化する
ことを特徴とする画像符号化方法。
【請求項２０】
前記所定のサイズは１６画素であり、
前記対象ブロックの幅が１６画素で高さが１６画素未満の場合、前記第２の要素は、前記第１の要素の右において前記第１の要素に隣接する要素であり、
前記符号化ステップにおいて、前記対象ブロックの幅が１６画素で高さが１６画素未満の場合、前記量子化マトリクスにおける前記第１及び第２の要素以外の要素の少なくとも一部については、前記量子化マトリクスの水平方向において互いに隣接する前記複数の要素に対して、前記１つの値を示すデータを符号化する
ことを特徴とする請求項１９に記載の画像符号化方法。
【請求項２１】
前記複数の値を示すデータは、前記複数の値間の差分を示すデータを含む
ことを特徴とする請求項１９に記載の画像符号化方法。
【請求項２２】
イントラ予測が用いられるかインター予測が用いられるかによって、前記量子化処理において使用する量子化マトリクスを選択する選択ステップ
を更に有することを特徴とする請求項１９に記載の画像符号化方法。
【請求項２３】
対象のブロックが輝度ブロックか色差ブロックかによって、前記量子化処理において使用する量子化マトリクスを選択する選択ステップ
を更に有することを特徴とする請求項１９に記載の画像符号化方法。
【請求項２４】
前記複数の値の数は、前記量子化マトリクスの要素の数よりも少ない
ことを特徴とする請求項１９に記載の画像符号化方法。
【請求項２５】
コンピュータを、請求項１〜６のいずれか１項に記載の画像復号装置の各手段として機能させることを特徴とするプログラム。
【請求項２６】
コンピュータを、請求項７〜１２のいずれか１項に記載の画像符号化装置の各手段として機能させることを特徴とするプログラム。
【手続補正２】
【補正対象書類名】明細書
【補正対象項目名】０００７
【補正方法】変更
【補正の内容】
【０００７】
この課題を解決するため、例えば本発明の画像復号装置は以下の構成を備える。すなわち、
符号化データから画像を復号する画像復号装置であって、
量子化された変換係数から変換係数を導出する逆量子化処理において用いられる量子化マトリクスの少なくとも一部の要素に対応する複数の値を示すデータを復号する復号手段と、
前記データから前記複数の値を導出し、少なくとも当該複数の値に基づいて、前記量子化マトリクスを生成する生成手段と、
前記量子化マトリクスを用いて、対象ブロックの前記逆量子化処理を行う逆量子化手段と
を有し、
前記対象ブロックの幅及び高さの内の少なくともいずれかが所定のサイズ以上の場合、前記生成手段は、
前記複数の値の内の第１の値を、前記量子化マトリクスにおけるDC成分に対応する第１の要素に対応付けるとともに前記量子化マトリクスにおける他の要素には対応付けず、
前記複数の値の内の第２の値を、前記量子化マトリクスにおいて当該第１の要素に隣接する第２の要素に対応付けるとともに前記量子化マトリクスにおける他の要素には対応付けず、
前記量子化マトリクスにおける前記第１及び第２の要素以外の要素の少なくとも一部については、前記量子化マトリクスにおける複数の要素に、前記複数の値の内の１つの値を対応付けることで、
前記量子化マトリクスを生成することを特徴とする。